【手続補正書】
【提出日】平成18年8月28日(2006.8.28)
【手続補正１】
【補正対象書類名】特許請求の範囲
【補正対象項目名】全文
【補正方法】変更
【補正の内容】
【特許請求の範囲】
【請求項１】
導電性材料から成る第１の電極層と、珪素又は酸化珪素を含む酸化物導電性材料から成る第２の電極層とを含む正孔注入性の電極と、
電子注入性の電極と、
前記正孔注入性の電極と前記電子注入性の電極との間に設けられたＥＬ層とを有し、
前記ＥＬ層の正孔注入領域又は正孔注入輸送領域は、前記第２の電極層に接するように設けられていることを特徴とする発光装置。
【請求項２】
導電性材料から成る第１の電極層と、珪素又は酸化珪素を含む酸化物導電性材料から成る第２の電極層とを含む正孔注入性の電極と、
電子注入性の電極と、
前記正孔注入性の電極と前記電子注入性の電極との間に設けられたＥＬ層と、
前記正孔注入性の電極と前記ＥＬ層の間に、絶縁性又は半絶縁性のバリア層とを有し、
前記バリア層は、前記第２の電極層と前記ＥＬ層の正孔注入領域又は正孔注入輸送領域とに接するように設けられ、トンネル電流を流すことができるものであることを特徴とする発光装置。
【請求項３】
導電性材料から成る第１の電極層と、珪素又は酸化珪素を含む酸化物導電性材料から成る第２の電極層とを含む正孔注入性の電極と、
電子注入性の電極と、
前記正孔注入性の電極と前記電子注入性の電極との間に設けられたＥＬ層と、
前記正孔注入性の電極と前記ＥＬ層の間に、酸素、窒素及び炭素から選ばれた少なくとも一種と珪素とを含む絶縁性又は半絶縁性のバリア層とを有し、
前記バリア層は、前記第２の電極層と前記ＥＬ層の正孔注入領域又は正孔注入輸送領域とに接するように設けられ、トンネル電流を流すことができるものであることを特徴とする発光装置。
【請求項４】
導電性材料から成る第１の電極層と、珪素又は酸化珪素を含む酸化物導電性材料から成る第２の電極層とを含む正孔注入性の電極と、
電子注入性の電極と、
前記正孔注入性の電極と前記電子注入性の電極との間に設けられたＥＬ層と、
前記正孔注入性の電極と前記ＥＬ層の間に、珪素又は酸化珪素を含む絶縁性又は半絶縁性のバリア層とを有し、
前記バリア層は、前記ＥＬ層の正孔注入領域又は正孔注入輸送領域と接するように、前記第２の電極層の表面に設けられ、トンネル電流を流すことができるものであることを特徴とする発光装置。
【請求項５】
請求項１乃至４のいずれか一項において、
前記第１の電極層を形成する導電性材料は、アルミニウム又はアルミニウムを主成分とする材料であることを特徴とする発光装置。
【請求項６】
請求項１乃至４のいずれか一項において、
前記第１の電極層を形成する導電性材料は、金属と、前記金属と化学量論的組成比以下の濃度で窒素を含む材料であることを特徴とする発光装置。
【請求項７】
請求項１乃至４のいずれか一項において、
前記第１の電極層を形成する導電性材料は珪素又は酸化珪素を含む酸化物導電性材料であり、前記酸化物導電性材料に含まれる珪素又は酸化珪素の濃度は、前記第２の電極層を形成する酸化物導電性材料に含まれる珪素又は酸化珪素の濃度よりも低いことを特徴とする発光装置。
【請求項８】
請求項１乃至７のいずれか一項において、
前記酸化物導電性材料は、酸化インジウムスズ、酸化亜鉛、酸化インジウム亜鉛、ガリウムを添加した酸化亜鉛から選ばれた一種であることを特徴とする発光装置。
【請求項９】
請求項１乃至８のいずれか一項において、
前記第２の電極層を形成する酸化物導電性材料に含まれる珪素又は酸化珪素の割合は、１〜１５原子％であることを特徴とする発光装置。
【請求項１０】
一方向に延びる第１電極と、
前記第１電極と交差する方向に延びる第２電極と、
前記第１電極と前記第２電極との間に設けられたＥＬ層とを有する画素を含み、
前記第１電極及び前記第２電極の少なくとも一方は、導電性材料から成る第１の電極層と、珪素又は酸化珪素を含む酸化物導電性材料から成る第２の電極層とを含み、
前記ＥＬ層の正孔注入領域又は正孔注入輸送領域は、前記第２の電極層に接するように設けられていることを特徴とする発光装置。
【請求項１１】
一方向に延びる第１電極と、
前記第１電極と交差する方向に延びる第２電極と、
前記第１電極と前記第２電極との間に設けられたＥＬ層と、
前記正孔注入性の電極と前記ＥＬ層の間に、絶縁性又は半絶縁性のバリア層とを有する画素を含み、
前記第１電極及び前記第２電極の少なくとも一方は、導電性材料から成る第１の電極層と、珪素又は酸化珪素を含む酸化物導電性材料から成る第２の電極層とを含み、
前記バリア層は、前記第２の電極層と前記ＥＬ層の正孔注入領域又は正孔注入輸送領域とに接するように設けられ、トンネル電流を流すことができるものであることを特徴とする発光装置。
【請求項１２】
一方向に延びる第１電極と、
前記第１電極と交差する方向に延びる第２電極と、
前記第１電極と前記第２電極との間に設けられたＥＬ層と、
前記正孔注入性の電極と前記ＥＬ層の間に、酸素、窒素及び炭素から選ばれた少なくとも一種と珪素とを含む絶縁性又は半絶縁性のバリア層とを有する画素を含み、
前記第１電極及び前記第２電極の少なくとも一方は、導電性材料から成る第１の電極層と、珪素又は酸化珪素を含む酸化物導電性材料から成る第２の電極層とを含み、
前記バリア層は、前記第２の電極層と前記ＥＬ層の正孔注入領域又は正孔注入輸送領域とに接するように設けられ、トンネル電流を流すことができるものであることを特徴とする発光装置。
【請求項１３】
一方向に延びる第１電極と、
前記第１電極と交差する方向に延びる第２電極と、
前記第１電極と前記第２電極との間に設けられたＥＬ層と、
前記正孔注入性の電極と前記ＥＬ層の間に、珪素又は酸化珪素を含む絶縁性又は半絶縁性のバリア層とを有する画素を含み、
前記第１電極及び前記第２電極の少なくとも一方は、導電性材料から成る第１の電極層と、珪素又は酸化珪素を含む酸化物導電性材料から成る第２の電極層とを含み、
前記バリア層は、前記ＥＬ層の正孔注入領域又は正孔注入輸送領域と接するように、前記第２の電極層の表面に設けられ、トンネル電流を流すことができるものであることを特徴とする発光装置。
【請求項１４】
請求項１０乃至１３のいずれか一項において、
前記第１の電極層を形成する導電性材料は、アルミニウム又はアルミニウムを主成分とする材料であることを特徴とする発光装置。
【請求項１５】
請求項１０乃至１３のいずれか一項において、
前記第１の電極層を形成する導電性材料は、金属と、前記金属と化学量論的組成比以下の濃度で窒素を含む材料であることを特徴とする発光装置。
【請求項１６】
請求項１０乃至１３のいずれか一項において、
前記第１の電極層を形成する導電性材料は珪素又は酸化珪素を含む酸化物導電性材料であり、前記酸化物導電性材料に含まれる珪素又は酸化珪素の濃度は、前記第２の電極層を形成する酸化物導電性材料に含まれる珪素又は酸化珪素の濃度よりも低いことを特徴とする発光装置。
【請求項１７】
請求項１０乃至１６のいずれか一項において、
前記酸化物導電性材料は、酸化インジウムスズ、酸化亜鉛、酸化インジウム亜鉛、ガリウムを添加した酸化亜鉛から選ばれた一種であることを特徴とする発光装置。
【請求項１８】
請求項１０乃至１７のいずれか一項において、
前記第２の電極層を形成する酸化物導電性材料に含まれる珪素又は酸化珪素の割合は、１〜１５原子％であることを特徴とする発光装置。